(57)【特許請求の範囲】
【請求項１】
押し込み並びに回転可能な単一の操作軸を備えたスイッチ本体と、
前記操作軸の先端に当接し前記操作軸の軸線方向に沿った移動によって前記操作軸を押し込んで前記スイッチ本体のプッシュスイッチ機能を作動させる押し込み移動体と、
前記操作軸に相対回転不能に係合され前記操作軸と一体に回転して前記スイッチ本体のボリュームスイッチ機能を作動させ、且つ前記押し込み移動体の周囲を取り巻き前記押し込み移動体を前記操作軸の前記軸線方向に沿って移動可能に保持する回転体と、
該回転体を回転可能に保持するベースと、
を備えていることを特徴とするスイッチ。
【請求項２】
前記ベースには、前記押し込み移動体の裏面と係合して前記ベースに対する前記押し込み移動体の位置決め並びに該回転体の回転時の同期回転防止をする突出部が形成されていることを特徴とする請求項１に記載のスイッチ。
【請求項３】
前記押し込み移動体の裏面には前記突出部内に臨む導光部材が突設され、前記突出部内には前記導光部材に向けて照明光束を出射する光源が設けられていることを特徴とする請求項２に記載のスイッチ。
【発明の詳細な説明】
【０００１】
【発明の属する技術分野】
本発明は、スイッチ、特に、プッシュスイッチ機能とボリュームスイッチ機能とを一体化させたスイッチに関する。
【０００２】
【従来の技術】
従来、例えば、図５（Ａ），（Ｂ）に示すように、スイッチ本体１の回転機能をもたない内軸１ａに装着されたプッシュスイッチ用ノブ２と、このプッシュスイッチ用ノブ２の外周を取り巻くようにスイッチ本体１の回転機能を有する外軸１ｂに装着されたボリュームスイッチ用ノブ３とを備えたスイッチ４が知られている（特開平６−３６６４１号公報参照）。
【０００３】
プッシュスイッチ用ノブ２の表面には機能文字や操作文字等の表示が可能な表示面となっており、このプッシュスイッチ用ノブ２を押圧（図５（Ｂ）において右側）することによってスイッチ本体１のプッシュスイッチ機能が作動する。
【０００４】
ボリュームスイッチ用ノブ３は、外軸１ｂに装着されたドーナツ状の透光部材３ａと、この透光部材３ａに装着された円筒状のノブ３ｂとを備え、このノブ３ｂを摘まんで外軸１ｂと一体に回転させることによりスイッチ本体１のボリュームスイッチ機能（或いはスイッチ本体１とは別のボリュームスイッチ機能）が作動する。
【０００５】
なお、図中、符号５は有底円筒形状のベース、６は各ノブ２，３を突出させた状態でベース５を閉成するカバー、７は制御回路基板、８は照明光源、９は照明光源８から出射された照明光束を透光部材３ａを介してプッシュスイッチ用ノブ２に照射するための導光部材である。
【０００６】
【発明が解決しようとする課題】
ところで、上記の如く構成されたスイッチ４にあっては、一つのスイッチ本体１にプッシュスイッチ用ノブ２とボリュームスイッチ用ノブ３とが装着され、しかも、プッシュスイッチ用ノブ２を装着した内軸１ａは回転機能を持たず、ボリュームスイッチ用ノブ３を装着した外軸１ｂは回転機能を有するといった特殊な機能を別々に構成していたため、スイッチ本体１の部品点数が増して部品コストが高騰するばかりでなく、プッシュスイッチ用ノブ２とボリュームスイッチ用ノブ３とをスイッチ本体１に装着する組付け作業が煩雑となって作業コストも高騰するといった問題が生じていた。
【０００７】
また、内軸１ａと外軸１ｂとの間にがたつきがあり、プッシュスイッチ用ノブ２及びボリュームスイッチ用ノブ３の操作フィーリングが悪いという問題が生じていた。
【０００８】
本発明は、上記事情に鑑みなされたものであって、高価なスイッチ本体の部品点数を削減し得て、しかも、組み付け作業の容易化を実現することができるスイッチを提供することを目的とする。
【０００９】
【課題を解決するための手段】
その目的を達成するため、請求項１に記載の発明は、押し込み並びに回転可能な単一の操作軸を備えたスイッチ本体と、前記操作軸の先端に当接し前記操作軸の軸線方向に沿った移動によって前記操作軸を押し込んで前記スイッチ本体のプッシュスイッチ機能を作動させる押し込み移動体と、前記操作軸に相対回転不能に係合され前記操作軸と一体に回転して前記スイッチ本体のボリュームスイッチ機能を作動させ、且つ前記押し込み移動体の周囲を取り巻き前記押し込み移動体を前記操作軸の前記軸線方向に沿って移動可能に保持する回転体と、該回転体を回転可能に保持するベースとを備えていることを特徴とする。
【００１０】
【発明の実施の形態】
次に、本発明のスイッチの実施の形態を図１乃至図４に基づいて説明する。
【００１１】
図示した実施の形態においては、車両用ヒンタコントロールの温度設定スイッチに適用されたスイッチが示され、このスイッチにはＡＵＴＯ機能が付され、操作軸の押し込みによってＡＵＴＯ機能が選択され、操作軸の回転によって所望の温度設定が可能となる。
【００１２】
図１において、１１はプリント回路基板、１２はプッシュスイッチ付回転式ボリュームスイッチ、１３はＡＵＴＯ時に点灯する照明光源（例えば、ＬＥＤ）、１４は夜間用照明光源（例えば、発光ダイオード）、１５は図示を略すビスによってプリント回路基板１１に固定されるベースである。尚、回転式ボリュームスイッチ１２と照明光源１３とは半田付け等によってプリント回路基板１１に固定されている。
【００１３】
回転式ボリュームスイッチ１２には、汎用のプッシュスイッチ付のものが用いられ、その先端には押し込み並びに回転可能な単一の操作軸１２ａが設けられている。
【００１４】
ベース１５は、樹脂の一体成形により略有底円筒形状に形成されており、底部１５ａの中心には回転式ボリュームスイッチ１２が貫通する孔１５ｂが形成されている。また、底部１５ａには、照明光源１３が挿入される中空の突出部１５ｃと、照明光源１４が貫通する孔１５ｄと、孔１５ｂを中心として半円状に形成された節度用の凹凸リング帯１５ｅとが形成されている。また、ベース１５の外周壁１５ｆには、複数の係合爪１５ｇが形成されている。さらに、ベース１５には、略Ｃ型形状の導光部材１６と、リテーナ１７とが装着されている。
【００１５】
導光部材１６は、透明樹脂から形成されており、図３，図４に示すように、ベース１５に形成された内周壁１５ｈに装着され、ランプスイッチの操作によって点灯する夜間用照明光源１４から出射された照明光束を周辺に導く。
【００１６】
リテーナ１７は、円筒形状の周壁１７ａと、周壁１７ａの内側から中心に向けて突出されたフランジ１７ｂと、周壁１７ａの外側に向けて突出する環状フランジ１７ｃと、環状フランジ１７ｃから立設された複数の係合爪１７ｄとを備え、環状フランジ１７ｃをベース係合爪１５ｇに係合させることによってベース１５に回転可能に保持されている。
【００１７】
また、周壁１７ａの内側には透明材料からなる回転板１８が装着され、フランジ１７ｂには凹凸リング帯１５ｅと節度係合する板ばね１９が装着され、係合爪１７ｄにはロータリノブ２０が装着される。尚、これら、リテーナ１７、回転板１８、板ばね１９、ロータリノブ２０は回転体２１を構成している。
【００１８】
回転板１８は、逆向きの有底円筒形状を呈し、その底壁１８ａには、略Ｃ字形状の溝１８ｂが形成されている。また、底壁１８ａの中心には、操作軸１２ａが回転不能に係合する長孔１８ｃが形成されている。尚、溝１８ｂは、回転板１８の回転を許容するように、中空突出部１５ｃの先端が臨んでいる。
【００１９】
板ばね１９は、凹凸リング帯１５ｅと係合することによってリテーナ１７の回転時の節度クリック感を得ることができる。
【００２０】
ロータリノブ２０は、正面視台形の円筒形状に形成されており、外周壁２０ａと内周壁２０ｂとを備えている。また、外周壁２０ａには、図２に示すように、ロータリノブ２０を摘まんだ際の滑り防止用の突状片２０ｃが複数形成されている。また、外周壁２０ａには、係合爪１７ｄが内側から係合する複数の係合孔２０ｄが形成されている。さらに、内周壁２０ｂには押し込み移動体２２が軸線方向に沿って押し込み可能に装着されている。
【００２１】
押し込み移動体２２は、操作軸１２ａの先端に当接する移動板２３と、移動板２３に装着された遮光ブロック体２４と、移動板２３の周縁部に固定されたパネルホルダ２５と、パネルホルダ２５の保持部２５ａに保持された化粧パネル２６と、化粧パネル２６に嵌着された導光部材２７とを備えている。
【００２２】
移動板２３は、透明材料から形成されており、装着時において中空突出部１５ｃと対向する位置に遮光ブロック体２４を装着するための受部２３ａが形成されている。また、移動板２３は、回転板１８に対して操作軸１２ａの移動ストローク以上の距離だけ離間して設けられている。
【００２３】
遮光ブロック体２４には、中空突出部１５ｃの先端部が摺接可能に臨んでいる。また、遮光ブロック体２４には、照明光源１３と対向するように、導光部材２７が臨んでいる。尚、遮光ブロック体２４と導光部材２７の先端とは、移動板２３と同様に操作軸１２ａの移動ストローク以上の距離だけ中空突出部１５ｃの先端並びに照明光源１３の先端と離間して設けられている。
【００２４】
化粧パネル２６には、導光部材２７を嵌着するための嵌着孔２６ａが形成されている。また、化粧パネル２６の表面には、機能文字や操作文字等の表示が施されている。
【００２５】
上記の構成においては、プリント回路基板１１に、回転式ボリュームスイッチ１２、照明光源１３、夜間用照明光源１４、電源供給用のコネクタ２８を固定する。
【００２６】
一方、ベース１５に、導光部材１６、回転板１８並びに板ばね１９を装着したリテーナ１７をそれぞれ装着した後、予め組み付けられた押し込み移動体２２をリテーナ１７の周壁１７ａに載置する。
【００２７】
そして、この状態からロータリノブ２０を被せるようにリテーナ１７に装着した後、ベース１５をプリント回路基板１１に固定すると押し込み移動体２２が操作軸１２ａの付勢により押し上げられる。
【００２８】
プッシュスイッチの機能を作動させる場合には、化粧パネル２６を押し込むことによって周壁１７ａと内周壁２０ｂとに案内されつつ軸線方向に沿って移動体２２が移動し、操作軸１２ａを移動板２３が押し下げてＡＵＴＯモード選択作動が可能となる。
【００２９】
一方、温度設定のためにボリュームスイッチ機能を作動させる場合には、ロータリノブ２０を摘まんで回転させることにより、リテーナ１７と回転板１８とが操作軸１２と一体に回転して温度設定作動が可能となる。
【００３０】
この際、押し込み移動体２２は、中空突出部１５ｃと遮光ブロック体２４との係合により回転せず、化粧パネル２６の表示が回転して表示機能が損なわれることが防止されている。
【００３１】
このように、押し込み移動体２２を回転体２１に摺動可能に保持させたことによって、従来の内軸１ａを不要とし、高価な回転式ボリュームスイッチ１２の部品点数を削減することができる。
【００３２】
また、押し込み移動体２２は、ロータリノブ２０を装着する前に周壁１７ａに載置するだけで、ロータリノブ２０の装着と同時に回転体２１に保持されるため、組付け作業の容易化をも実現することができる。
【００３３】
さらに、押し込み移動体２２を中空突出部１５ｃと係合させることによって回転体２１の回転操作に連動して押し込み移動体２２が回転することを防止することができ、しかも、中空突出部１５ｃに照明光源１３による照明機能を装着したことにより部品点数の削減並びに設置スペースの有効活用を実現することができる。
【００３４】
【発明の効果】
以上説明したように、本発明のスイッチは、押し込み並びに回転可能な単一の操作軸を備えたスイッチ本体と、前記操作軸の先端に当接し前記操作軸の軸線方向に沿った移動によって前記操作軸を押し込んで前記スイッチ本体のプッシュスイッチ機能を作動させる押し込み移動体と、前記操作軸に相対回転不能に係合され前記操作軸と一体に回転して前記スイッチ本体のボリュームスイッチ機能を作動させ、且つ前記押し込み移動体の周囲を取り巻き前記押し込み移動体を前記操作軸の前記軸線方向に沿って移動可能に保持する回転体と、該回転体を回転可能に保持するベースとを備えていることにより、高価なスイッチ本体の部品点数を削減し得て、しかも、組み付け作業の容易化を実現することができる。
【００３５】
また、従来の、内軸と外軸との間のがたつきによりプッシュスイッチ用ノブ及びボリュームスイッチ用ノブの操作フィーリングが悪化するという問題が解消されるという利点がある。
【図面の簡単な説明】
【図１】  本発明の実施の形態に係わるスイッチを示す分解斜視図である。
【図２】  本発明の実施の形態に係わるスイッチの平面図である。
【図３】  本発明の実施の形態に係わるスイッチの縦断面図である。
【図４】  本発明の実施の形態に係わるスイッチの縦断面図である。
【図５】  従来のスイッチを示し、（Ａ）はスイッチの正面図、（Ｂ）はスイッチの縦断面図である。
【符号の説明】
１２  回転式ボリュームスイッチ、１２ａ  操作軸、１５  ベース、２１  回転体、２２  押し込み移動体。
【図１】
0004074699.tif 000002
【図２】
0004074699.tif 000003
【図３】
0004074699.tif 000004
【図４】
0004074699.tif 000005
【図５】
0004074699.tif 000006